(57)【要約】【課題】ワイヤレス給電ＰＪは本体の向きをかえたりしたときに、供給電源が遮断されるときがある。一次的に光源の光量低下や消灯を行うが、遮断期間が長引いた場合に回路に供給する電源が枯渇し電源ＯＦＦ状態となることがある。この場合、再立ち上げ時に元の状態に戻すために、再度同じ設定を繰り返さなければならないことがあった。【解決手段】解決手段：角度センサーからの情報をもとに、本体が移動され、電源供給が遮断される可能性のあると判断した場合には、各設定データを一時的に不揮発メモリに格納し、再度立ち上げた時には、その状態に復帰するようにした。【選択図】図１
2017175300.tif 000002
【特許請求の範囲】
【請求項１】
光源と、光源部の光によって画像を形成する画像形成部とを備えた投射型画像表示装置に置いて、少なくとも、センサーを具備し、センサーからの出力データをもとに、装置内部の設定データ及び入力コマンドに応じて設定されたデータを不揮発メモリに記憶し、不揮発メモリ内に設定データを随時記憶するモードであることを示すフラグを立てることを特徴とする投射型表示装置。
【請求項２】
センサーは、本体の傾きを検出する角度センサーまたは、加速度センサーであることを特徴とする請求項１に記載の投射型表示装置。
【請求項３】
センサーからのデータの変動が予め定められた値以上のときに、不揮発メモリに記憶することを特徴とする請求項１に記載の投射型表示装置。
【請求項４】
プロジェクタを制御するコントローラが、起動時に不揮発メモリ内に設定データを随時記憶するモードであることを示すフラグを読み出し、随時記憶するモードである場合には、不揮発メモリに記憶されているデータをもとに投射装置の状態を設定することを特徴とする請求項１に記載の投射表示装置。
【請求項５】
本体に商用電源が投入され、本体を制御するコントローラは、不揮発メモリ内に設定データを随時記憶するモードであることを示すフラグを読み出し、随時記憶するモードである場合には、本体を起動することを特徴とする請求項４に記載の投射表示装置。
【発明の詳細な説明】
【技術分野】
【０００１】
本発明は、投射型投射型画像表示装置に関し、特に電源遮断時の設定データ保護に関する。
【背景技術】
【０００２】
プロジェクタは、近年小型化によりポータブル機器として持ち運びし、会議室に持ち込んでその場でセッティングして使用することが多くなっている。会議室でセッティングしている時や会議中に投射しているプロジェクタの投射位置を変えることがある。このときに電源コードにストレスがかかってインレット部から抜けてしまい、それまでプロジェクタに設定した情報が失われてしまうことがある。
【０００３】
また、電源供給のワイヤレス化も進んでいる。ワイヤレス化されるとケーブルのストレスなしに配置や投射方向を変更出来、利便性に優れている。一方、この場合、投射位置を変える等の行為の時に電源供給が遮断または低下してプロジェクタの電源がオフ状態または待機状態になることが発生し、それまで設定したデータが失われ、点灯後に再度設定しなければならないという問題があった。
【０００４】
上記従来例のように、ＰＪを持ちあげた時には、強い投射光が人に向けて投射されることを防ぐために投射光を減光するまたは遮断するという提案はなされていた（特許文献１、２参照）。
【先行技術文献】
【特許文献】
【０００５】
【特許文献１】特開２００６−１３３４０１号公報
【特許文献２】特許第０４７６３０９２号公報
【発明の概要】
【発明が解決しようとする課題】
【０００６】
しかし、持ちあげた時に電源ケーブルが抜けることや電源供給が遮断されたときに、電源切断による問題については考慮されていなかった。またスタンバイに戻ったときの再点灯時の利便性についても考慮はされていなかった。
【課題を解決するための手段】
【０００７】
上記の課題を解決するために、本発明に係る投射型表示装置は、
本体に加速度センサーを具備し、加速度センサーの出力データをもとに、設定データ情報を不揮発メモリに記憶させるものである。電源遮断時に、通常の電源遮断であるのか、異常な電源遮断であるのかを電源遮断時に不揮発メモリに記憶する（加速度センサーの値と電源遮断コマンドを受け取っての終了か否か。）。電源が投入されたときに、電源遮断時の状態を不揮発メモリからの情報をもとに確認し、異常な電源遮断状態での遮断と判断されれば、状態を復帰することを特徴とする。
【発明の効果】
【０００８】
本発明に係る投射型表示装置によれば、電源コードが外れたり、ワイヤレス電源供給電が途絶えて電源が遮断したときには、再度電源が供給されたときに、直前の電源遮断時の状態を確認し、意図しない電源遮断と判断されたときには、直前の電源遮断前の状態に復帰する。以上のことにより、それまでに行っていた設定を最初からやり直すことなく、セッティングを進められるという効果がある。
【図面の簡単な説明】
【０００９】
【図１】本発明の第一の実施の形態に掛かるプロジェクタ装置の内部構成の概要を示す図である。
【図２】図１のプロジェクタにおける電源立上シーケンスである。
【発明を実施するための形態】
【００１０】
以下に、本発明の好ましい実施の形態を、添付の図面に基づいて詳細に説明する。
【実施例１】
【００１１】
図１を参照して、本発明の第１の実施例による、プロジェクタの電源点灯時の処理について説明する。
【００１２】
図１は本発明の実施形態にかかわる全体ブロック構成を示すものである。
【００１３】
同図において、１００は外部機器と接続し電源や各種信号のやりとりを行うベースユニット部、２００はベース部１００から電力や信号を受け取って画像信号等を表示するプロジェクタ−ユニット部である。
【００１４】
５００は、表示する画像データ及び制御コマンドを送信するＰＣ等の外部コントローラである。
【００１５】
また、１１０は商用電源に接続し電源供給を受けるＡＣプラグである。
【００１６】
１２０は電源プラグから入力される商用電源を機器内部で使用するＤＣ電源に変換し、ベースユニット内部で使用する電源を供給するとともに、プロジェクタ−ユニット部２００に送る電源を後述する伝送回路１３０に供給するＡＣ／ＤＣ電源ユニット部である。
【００１７】
１３０は、後述する送電側コントローラ１８０の制御に従ってＡＣ／ＤＣ電源ユニット１２０から供給された電源を後述する加算回路１６０に供給する伝送回路である。
【００１８】
１４０は外部の画像信号発生装置からの画像信号および外部のＰＣ等のコントローラ５００からの制御信号が入力される信号入力部である。
【００１９】
１５０は信号入力部に入力された信号を少なくとも後述する送信部１７０で送信するに適した信号に変調する信号処理部である。ここで、音声については、特記すべき内容がないので省略する。構成従来通りいろいろ構成があり、ベース部で処理し、そこで入出力処理を行い完結する場合や、プロジェクタ部にスピーカを配して音声出力するように音声信号のみをプロジェクタ側に送信する場合など代表としてあげることが出来る。ここでは、ＡＶ信号として必須の映像信号についてのみ記述する。
【００２０】
１６０は伝送回路１３０からの送信用電源信号と信号処理部１５０からの画像信号および制御信号を加算する加算回路である。
【００２１】
１７０は加算回路１５０で加算された信号を後述する受信部２１０にワイヤレスで送信する送信部、１８０は送電側１００の全体を制御する送電側コントローラである。
【００２２】
２１０はベースユニット部１００の送信部１７０からの電力及び信号を受信する受信部である。
【００２３】
２２０は受信部２１０で受信した複合信号から、電力を後述する電源回路２３０に出力し、画像信号をＦ／Ｅ回路２４０に出力し、制御信号を後述するコントローラ２８０に出力する分離回路である。
【００２４】
２３０は分離回路から受け取った電力を安定したＤＣ電源に変換してプロジェクタ−ユニットの各回路ブロックに供給出力する電源回路である。
【００２５】
２４０は分離回路２２０から受け取った映像信号を復調し、後述する信号処理回路２５０に出力するＦ／Ｅ信号処理回路である。
【００２６】
２５０はＦ／Ｅ信号処置回路２４０からの映像信号をパネルに表示するのに適した信号に変換する信号処理回路である。
【００２７】
２６０は信号処理回路で処理した信号を元に後述するパネルを駆動するパネルドライブ回路、２７０はパネルドライブ回路２６０からの電気信号を光学的な信号に変換する液晶パネルである。
【００２８】
２８０はプロジェクタ全体を制御するＭＡＩＮコントローラである。
【００２９】
２９０はＭＡＩＮコントローラ２８０からの制御信号をもとに、後述する光源３００を駆動する光源ドライバ回路である。
【００３０】
３００は、パネルに表示した画像をスクリーン（図示せず）に投射するための光を出力する光源である。
【００３１】
３１０は機器の内部の温度状態を測定する温度センサーである。
【００３２】
３２０はＭＡＩＮコントローラ２８０の制御信号をもとに後述するＦＡＮ３３０を駆動して機器内部の温度環境を制御するファンドライバ回路である。
【００３３】
３３０はファンドライバからの制御信号に基づいて駆動するファンユニットである。
【００３４】
３４０は、コントローラ２８０からの制御でコマンド信号および設定データを記憶する不揮発メモリである。
【００３５】
３５０は、機器の姿勢情報である角度情報を検出してコントローラに出力する加速度センサーである。３６０は使用者がプロジェクタを制御すべく操作する操作パネルである。
【００３６】
図２において、Ｓ１００番台がベース部のシーケンスで、Ｓ２００番台がプロジェクタ部のシーケンスである。
【００３７】
ベース部のＳ１００番台から説明する。
【００３８】
Ｓ１００がベース側コントローラのフローで、Ｓ２００がプロジェクタ側のコントローラのフローである。
【００３９】
まずＳ１０１でベースユニット部に電源が供給されると、Ｓ１０２でベースユニット部のコントローラ１８０の初期設定動作が行われる。
【００４０】
Ｓ１０３は、ベースブロックの各ブロックの初期化がおこなわれる。
【００４１】
Ｓ１０４は、ベースユニットからプロジェクタ−ユニットへの電力供給が行われる。
【００４２】
Ｓ１０５はベースユニットのコントローラ１８０がプロジェクタ−ユニット側のコントローラ２８０からの初期設定動作完了等の信号待ちの状態である。
【００４３】
Ｓ１０６はプロジェクタ側からコマンドを受け取ったことに対する応答動作である。
【００４４】
Ｓ１０７は受け取ったコマンドに対して処理動作、ここでは、外部映像ソース機器に送信する設定動作である。
【００４５】
Ｓ１０８は外部から受け取った画像データをプロジェクタ−ユニット部に送出を開始する動作である。
【００４６】
Ｓ１０９はプロジェクタからのコマンド待ち状態である。
【００４７】
Ｓ１１０はプロジェクタから送られてきたコマンドを処理するコマンド処理動作である。
【００４８】
次に２００番台のプロジェクタ側のフローについて説明する。
【００４９】
ベース側のＳ１０３でプロジェクタ側に電力供給が開始されると、コントローラに電源が供給されＳ２０１でコントローラのイニシャライズが開始される。
【００５０】
プロジェクタのイニシャライズが終了するとＳ２０２で、不揮発メモリＡ０の値が“０”であるか“１”であるかを判断する。“０”の場合には、Ｓ２１１でイニシャライズ終了コマンドをベース側に送信し、次段のＳ２１２でベースからのコマンドが来ているかを確認し、来ていなければ、Ｓ２１４に進み、着ていれば、Ｓ２１３で処理を行い、Ｓ２１４に進む。
【００５１】
Ｓ２１４では、プロジェクタ本体の電源投入ＳＷが押されたかを判断し、押されていなければ、Ｓ２１２に戻り、押されていれば、Ｓ２１５に進む。
【００５２】
Ｓ２１５では、プロジェクタの起動処理が行われる。“１”の場合には、直前の電源遮断が予期しない電源遮断により電源が遮断されたと判断し、Ｓ２２１に進む。
【００５３】
Ｓ２２１では、電源遮断前にベース側設定データを読み出し、Ｓ２２２でベース側にプロジェクタ側の初期設定が終了したこととベース側の設定データを送付する。（ここで、ベースユニットは、Ｓ１０４で）Ｓ２２３でプロジェクタの本体の電源を起動し、初期設定を行う。
【００５４】
Ｓ２２４では、不揮発メモリのレジスタＡの値が”１”であったため、電源遮断前の状態に復帰処理を行っているインフォメーションを表示し、Ｓ２２５において不揮発メモリから読み出した値を各設定レジスタに設定する。
【００５５】
Ｓ２１５，Ｓ２２５が行われた時点で、プロジェクタの起動がいったん完了したことになる。
【００５６】
ここで、Ｓ２２６で加速度センサーからのデータを読み出す。
【００５７】
次にＳ２２７で加速度センサーからの読み出し回数が、所定の数Ｘ回に達している場合は、Ｓ２２８に移り、その値からプロジェクターユニットの安定性を判断する。電源投入直後は、まだ所定の回数に達していないので、Ｓ２４１に移り変更レジスタデータを不揮発メモリに記憶するモードとし、Ｓ２４２で不揮発メモリのアドレスＡに１を書き込む。
【００５８】
次にＳ２５１に移り要求コマンドの有無を確認し、無い場合には、Ｓ２２６に戻り、加速度センサーの値を読み出すステップに入る。ここで、要求コマンドが入力されているときには、Ｓ２５２に移り要求コマンドが電源ＯＦＦ動作かを確認する。電源ＯＦＦ動作コマンドで無いときには、Ｓ２５３に移動して要求コマンドの処理を行い、Ｓ２２６に移る。
【００５９】
Ｓ２５２で電源ＯＦＦコマンドである場合には、Ｓ２６１で不揮発メモリのアドレスＡの値に”０”を書き込む。
【００６０】
次にＳ２６２に移り、終了処理を行いスタンバイ状態に戻って、Ｓ２１４に移る。
【００６１】
次に具体的な動作について説明する。
【００６２】
電源プラグ１１０がコンセントに挿されベースユニットに商用電源が供給される（Ｓ１００）と、ＡＤ／ＤＣ電源ユニット１２０が送電側コントローラ１８０に電源供給を開始し（Ｓ１０１）、送電側コントローラ１８０がイニシャライズを開始する（Ｓ１０２）。
【００６３】
コントローラ１８０のイニシャライズを終了すると、ベースユニット内の各ブロックの初期化を行う（Ｓ１０３）。初期化時の設定は、送信側コントローラが持っているデフォルト値での設定となる。
【００６４】
次に、コントローラ１８０は送電回路１３０の電力出力を開始（Ｓ１０４）し、加算回路１６０を経て送電部に送られて、受信部２１０に向けて電力供給が開始される。ベースユニットのコントローラ１８０は、プロジェクタ−ユニット部からの応答待ちとなる（Ｓ１０５）。
【００６５】
この次のステップとしては、Ｓ２００からの処理動作に入ったほうが、全体の流れが分かるが、ここでは、ベース部の動作を続けて説明する。
【００６６】
プロジェクタブロックのＳ２１１またはＳ２２２からのコマンド（イニシャライズ終了／ベース部データ設定コマンド）が送られてくると応答待ち（Ｓ１０５）から応答処理（Ｓ１０６）に移行し、受信データをもとにベース内部の設定を行う（Ｓ１０６）。
【００６７】
また、必要に応じて外部に設定されているＰＣや画像入力機器にデータを送出可能状態する（Ｓ１０７）。
【００６８】
続いて、ベース部の内部設定が完了すると、（入力信号の有無にかかわらず、）入力信号の処理を行い、プロジェクタ部への出力を開始する（Ｓ１０８）。
【００６９】
ここで、ベース部は、プロジェクタ部からのコマンドの待ち状態（Ｓ１０９）となり、コマンドが送られてくるとコマンドを処理（Ｓ１１０）して、再度コマンド待ち（Ｓ１０９）の状態となり、以降上記コマンド処理を繰り返すこととなる。
【００７０】
ここから、プロジェクタ部の動作について説明する。
【００７１】
プロジェクタ−ブロック部では、受信部２１０に電力が供給されると分離回路２２０をへて電源回路２３０に送られる。電源回路は、電力供給を受けると常時電源出力としてＭＡＩＮコントローラ２８０に電源が供給される（Ｓ２００）。
【００７２】
ＭＡＩＮコントローラ２８０は、電源が供給されるとイニシャライズを開始する（Ｓ２０１）。
【００７３】
イニシャライズが終了すると、プロジェクタ−ブロック内の各ブロックの初期設定を行う（Ｓ２０２）。
【００７４】
周辺ブロックのイニシャライズが終了すると、不揮発メモリのレジスタアドレスＡの値が“０”（前回終了時の状態；通常終了）であるか“１”（前回終了時の状態；異常終了）であるかを確認する（Ｓ２０３）。ここで値が“０”（通常終了）であれば、プロジェクタ−ユニットイニシャライズ終了コマンドをベースユニットに送信する（Ｓ２１１）。
【００７５】
次に、ベースユニットからコマンドが来ているかを確認し（Ｓ２１２）、来ていればコマンド処理（Ｓ２１３）を行った後Ｓ２１４に移行し、コマンドが来ていなければ、Ｓ２１２から直接Ｓ２１４に移行する。
【００７６】
Ｓ２１４では、操作パネル３６０から電源ＯＮされたか否かを確認する（Ｓ２１４）。電源ＯＮされていなければ、Ｓ２１２に移行し、上記の動作を繰り返す。
【００７７】
ここで、電源ＯＮされていれば起動処理を開始する（Ｓ２１５）。
【００７８】
起動処理によりプロジェクタブロックは投射状態となる。投射状態になると、加速度センサーの読み出しを行う（Ｓ２２６）。
【００７９】
加速度センサーの読み出しデータは常にある程度の変動を持っているので、Ｘ回繰り返して（Ｓ２２７）読み出し平均値を算出する（Ｓ２２８）。
【００８０】
加速度センサーの平均値取得回数が規定取得回数（２回）以上取得したかを判断（Ｓ２２９）し、回数に満たなければ、Ｓ２５１に移行する。
【００８１】
規定取得回数に達していれば、加速度センサーの平均値の変動量が閾値レベル以下であるかを判断（Ｓ２３０）し、閾値レベル以下であれば、Ｓ２３１に移行する。
【００８２】
不揮発メモリのアドレスＡの値が、“０”であれば、Ｓ２５１に移行し、アドレスＡの値が“１”であれば、Ｓ２３２に移行（Ｓ２３１）し、すべての設定データを不揮発メモリに入れるモードを終了し（Ｓ２３２）、不揮発メモリのアドレスＡの値を“０”とする（Ｓ２３３）。アドレスＡを“１”のままにしておくと、電源ＳＷではなくＡＣコンセントや配電盤のＳＷにより電源をＯＦＦした場合に、次の立ち上げ時にユーザーの意図しない設定状態で立ち上がることとなる。よって、すべての設定データを不揮発メモリに書き込むというモードを停止した場合は、立ち上り時にすべてのデータを設定しないようにアドレスＡの値を”０”とする。
【００８３】
一方、加速度センサーの平均値の変動量が閾値以上である場合は、Ｓ２４１に移行し、不揮発メモリのアドレスＡの値で二つに分かれる。不揮発メモリのアドレスＡの値が“１”であれば、Ｓ２５１に移行し、アドレスＡの値が“０”であれば、Ｓ２４２に移行（Ｓ２４１）し、すべての設定データを不揮発メモリに書込むモードに移行させ（Ｓ２４２）、不揮発メモリのアドレスを”１”に設定する（Ｓ２４３）。
【００８４】
上記の作業でデータをすべて記憶するか否かを決定した状態で、外部からの要求コマンドの有無を確認する（Ｓ２５１）。
【００８５】
要求コマンドがなければ、加速度センサーの値を読み出すステップ（Ｓ２２６）に移行する。
【００８６】
ここで、外部からのコマンド入力がある場合には、コマンドが電源ＯＦＦコマンドか確認し（Ｓ２５２）電源ＯＦＦコマンドである場合には、不揮発メモリのアドレスＡを“０”にして（Ｓ２６１）終了処理を行い（Ｓ２６２）スタンバイ状態に入る。
【００８７】
以降、電源ＯＮコマンドが入力されたか否かを検出するステップ（Ｓ２１４）に入り、上記で説明したルーチンを繰り返す。
【００８８】
一方Ｓ２５２のステップで、電源ＯＦＦコマンドではない場合、Ｓ２５３に移行し、コマンド処理を行う（Ｓ２５３）。コマンド処理が終了後Ｓ２５４に移行し、アドレスＡの値で分岐する（Ｓ２５４）。アドレスＡが“０”の場合には、Ｓ２２６に移行し、アドレスＡが“１”の場合には、Ｓ２５３で行った設定情報を不揮発メモリに記憶する（Ｓ２５５）。
【００８９】
こののち加速度センサーの値を読み出すステップ（Ｓ２２６）に戻り、以上上記で説明したルーチンを繰り返す。
【００９０】
上記説明では、加速度センサーについて詳細説明していないが、プロジェクタでは、斜め投射時に表示画像に生じる画像歪を自動で補正するオートキーストン補正という機能があり、この自動キーストン補正を行うために本体に加速度センサーが搭載されており、このキーストン補正に用いる加速度センサーからのデータを用いることにより、必ずしも本特許を実現するために特別に加速度センサーを追加する必要はない。
【００９１】
また、上記説明では、ベース部とプロジェクタ部が分離した形態で説明したが、ベースとプロジェクタ部が一体化した従来型のプロジェクタであっても、本質的効果は変わらない。
【００９２】
以上説明したように、加速度センサーからの値を周期的に取得して本体の設置状態の安定性を判断し、不安定と判断した場合には、設定されているデータを不揮発メモリに保存するとともに、不安定状態に入力されたコマンドにより設定された情報も随時保存する。そして、上記不安定状態が起因となり、電源が遮断し動作が停止した場合でも、電源を再投入されたときに、上記データを利用して電源が遮断する直前の状態と同じ状態迄自動的に復帰することが出来きる。このような動作により、使用者は、一時的に電源が切れても電源再投入時に再度設定を行う必要がなく作業を進めることが出来る。
【符号の説明】
【００９３】
１００  ベースユニット部、２００  プロジェクタ−ユニット部、
５００  ＰＣ等の外部コントローラ、１１０  ＡＣプラグ、
１２０  ＡＣ／ＤＣ電源ユニット部、１３０  伝送回路、１４０  信号入力部、
１５０  信号処理回路、１６０  加算回路、１７０  送信部、
１８０  送電側コントローラ、２１０  受信部、２２０  分離回路、
２３０  電源回路、２４０  Ｆ／Ｅ信号処理回路、２５０  信号処理回路、
２６０  パネルドライブ回路、２７０  液晶パネル、２８０  ＭＡＩＮコントローラ、
２９０  光源ドライバ回路、３００  光源、３１０  温度センサー、
３２０  ファンドライバ回路、３３０  ファンユニット、３４０  不揮発メモリ、
３５０  加速度センサー、３６０  操作パネル
【図１】
2017175300.tif 000003
【図２】
2017175300.tif 000004